(57)【要約】【課題】本発明は反転プレートに保護層を設けることによって、反転プレートの誤作動を防止して安全性を向上させることができる。【解決手段】一例として、第１電極板、第２電極板、および前記第１電極板と前記第２電極板との間に配置されるセパレータを含む電極組立体、前記電極組立体を収容するケースおよび前記ケースに結合するキャップ組立体を備え、前記キャップ組立体は前記ケースを密封し、短絡ホールを有するキャッププレート、前記キャッププレートの前記短絡ホールに設けられる反転プレート、前記キャッププレートの前記短絡ホールを覆うように設けられる端子プレートを含み、前記反転プレートの下部には、前記反転プレートより高い溶融点を有する保護層が設けられることを特徴とする２次電池を提供する。【選択図】図２
2015204284.tif 000002
【特許請求の範囲】
【請求項１】
第１電極板、第２電極板、および前記第１電極板と前記第２電極板との間に配置されるセパレータを含む電極組立体、
前記電極組立体を収容するケース、および
前記ケースに結合するキャップ組立体を備え、
前記キャップ組立体は、
前記ケースを密封し、短絡ホールを有するキャッププレート、
前記キャッププレートの前記短絡ホールに設けられる反転プレート、および
前記キャッププレートの前記短絡ホールを覆うように設けられる連結プレート、
を含み、
前記反転プレートの下部には、前記キャッププレートより高い溶融点を有する保護層が設けられることを特徴とする２次電池。
【請求項２】
前記保護層は、前記ケースの内部に含まれている電解液と接触時に、化学的反応が発生しない物質からなることを特徴とする請求項１に記載の２次電池。
【請求項３】
前記保護層はポリイミドからなることを特徴とする請求項１に記載の２次電池。
【請求項４】
前記反転プレートは、下向きに凸であるラウンド部と、前記キャッププレートに固定する枠部とを含むことを特徴とする請求項１に記載の２次電池。
【請求項５】
前記連結プレートは、前記反転プレートに対応する位置に突出部を形成することを特徴とする請求項１に記載の２次電池。
【請求項６】
前記突出部は、前記反転プレートに向かって形成されることを特徴とする請求項５に記載の２次電池。
【請求項７】
前記保護層は、前記突出部の形状に対応する形状を有することを特徴とする請求項５に記載の２次電池。
【請求項８】
前記突出部の外径は、前記保護層の外径より小さく形成されることを特徴とする請求項５に記載の２次電池。
【請求項９】
前記保護層は、前記反転プレートの下面のうち、中央領域を除いた領域にのみ形成されることを特徴とする請求項１に記載の２次電池。
【請求項１０】
前記保護層は、前記反転プレートの下面のうち、前記突出部の内径より小さい内径を有する領域を除いた領域にのみ形成されることを特徴とする請求項５に記載の２次電池。
【請求項１１】
前記保護層は、前記突出部の形状に対応する反転プレートの下面領域に、その周辺領域の厚さより厚く形成されることを特徴とする請求項５に記載の２次電池。
【発明の詳細な説明】
【技術分野】
【０００１】
本発明は２次電池に関する。
【背景技術】
【０００２】
２次電池（Ｒｅｃｈａｒｇｅａｂｌｅ  ｂａｔｔｅｒｙ）は充電が不可能な一次電池とは違って、充電および放電が可能な電池である。そのような２次電池において、一つの電池セルがパック形態に包装された低容量電池の場合、当該２次電池は携帯電話およびカムコーダーのような携帯が可能な小型電子機器に使われ、電池パックが数十個連結された電池パック単位の大容量電池の場合、当該２次電池はハイブリッド自動車などのモータ駆動用電源として幅広く使用されている。
【０００３】
このような２次電池は様々な形状に製造されているが、代表的形状としては、円筒形および角形が挙げられ、正極板と負極板との間に絶縁体であるセパレータを介在して形成された電極組立体と電解液とをケース内に設置して、電極端子が形成されたキャップ組立体をケースに設置して構成する。
【０００４】
一方、２次電池は過度な熱が発生したり電解液が分解されると内部圧力が上昇して発火したり爆発する場合がある。したがって、安全性を向上させることができる構造の２次電池が必要とされている。
【発明の概要】
【発明が解決しようとする課題】
【０００５】
本発明の課題は、反転プレートに保護層を設けることによって、反転プレートの誤作動を防止して安全性を向上させることができる２次電池を提供する。
【課題を解決するための手段】
【０００６】
本発明の実施例による２次電池は、第１電極板、第２電極板、および前記第１電極板と前記第２電極板との間に配置されるセパレータを含む電極組立体、前記電極組立体を収容するケース、および前記ケースに結合するキャップ組立体を備え、前記キャップ組立体は前記ケースを密封し、短絡ホールを有するキャッププレート、前記キャッププレートの前記短絡ホールに設けられる反転プレート、および前記キャッププレートの前記短絡ホールを覆うように設けられる端子プレートを含み、前記反転プレートの下部には、前記反転プレートより高い溶融点を有する保護層が設けられることができる。
【発明の効果】
【０００７】
本発明の実施例による２次電池は、相対的に高い溶融点を有する保護層を反転プレートに形成することによって、短絡発生時に反転プレートを持続的に動作させることができる。
【０００８】
したがって、本発明の実施例による２次電池は、短絡発生によって反転プレートにスクラッチ（孔）が発生しても、このような孔を塞ぐと同時に反転プレートを持続的に動作させることができるので、反転プレートの誤作動を防止して安全性を向上させることができる。
【図面の簡単な説明】
【０００９】
【図１】本発明の一実施例による２次電池を示す斜視図である。
【図２】図１のＩ-Ｉ’線に沿って切り取った２次電池を示す断面図である。
【図３ａ】図２のＡ領域を示す拡大断面図である。
【図３ｂ】図３ａの反転プレートが端子プレートに接触する場合を示す断面図である。
【図４ａ】図２の反転プレートおよび保護層を示す斜視図である。
【図４ｂ】図４ａで保護層が形成された反転プレートの下部を示す背面図である。
【図５】図４ｂの反転プレートがスタックされた状態を示す断面図である。
【図６】本発明の他の実施例による２次電池の中、図２のＡ領域に対応する部分の拡大断面図である。
【図７】本発明のまた他の実施例による２次電池の中、図２のＡ領域に対応する部分の拡大断面図である。
【図８】本発明のまた他の実施例による２次電池の中、図２のＡ領域に対応する部分の拡大断面図である。
【発明を実施するための形態】
【００１０】
以下、本発明の属する技術分野で通常の知識を有する者が本発明を容易に実施できるほど本発明の望ましい実施例を添付図面を参照して詳細に説明する。
【００１１】
図１は本発明の一実施例による２次電池を示す斜視図であり、図２は図１のＩ-Ｉ’線に沿って切り取った２次電池を示す断面図であり、図３ａは図２のＡ領域を示す拡大断面図であり、図３ｂは図３ａの反転プレートが端子プレートに接触する場合を示す断面図であり、図４ａは図２の反転プレートおよび保護層を示す斜視図であり、図４ｂは図４ａで保護層が形成された反転プレートの下部を示す背面図であり、図５は図４ｂの反転プレートがスタックされた状態を示す断面図である。
【００１２】
図１および図２を参照すれば、本発明の一実施例による２次電池１００は、電極組立体１０、第１集電板２０、第２集電板３０、ケース４０、およびキャップ組立体５０を含む。
【００１３】
前記電極組立体１０は、薄い板型あるいは膜型からなる第１電極板１１、セパレータ１３、第２電極板１２の積層体を巻き取ることによって、又は、重ね合わせることによって形成される。ここで、第１電極板１１は正極として作用することができ、第２電極板１２は陰極として作用することができる。
【００１４】
前記第１電極板１１はアルミニウムのような金属箔からなる第１電極集電体に遷移金属酸化物などの第１電極活物質を塗布することによって形成されるが、第１活物質が塗布されない領域である第１電極無地部１１ａを含む。前記第１電極無地部１１ａは第１電極板１１と第１電極板１１の外部との間で電流が流れるための経路になる。一方、本発明は前記第１電極板１１の材質に限定されるものではない。
【００１５】
前記第２電極板１２はニッケルまたは銅のような金属箔からなる第２電極集電体に黒鉛または炭素などの第２電極活物質を塗布することによって形成されるが、第２活物質が塗布されない領域である第２電極無地部１２ａを含む。前記第２電極無地部１２ａは第２電極板１２と第２電極板１２の外部との間で電流が流れる経路になる。一方、本発明は前記第２電極板１２の材質に限定されるものではない。
【００１６】
このような第１電極板１１および第２電極板１２は極性を異にして配置される。つまり、前記第１電極板１１は陰極として作用することができ、第２電極板１２は正極として作用することができる。
【００１７】
前記セパレータ１３は第１電極板１１と第２電極板１２との間に位置して短絡を防止しリチウムイオンの移動を可能にする役割を果たし、ポリエチレンやポリプロピレンやポリエチレンとポリプロピレンの複合フイルムからなることができる。一方、本発明は前記セパレータ１３の材質に限定されるものではない。
【００１８】
このような電極組立体１０の両側端部では、第１集電板２０は、第１電極板１１と電気的に連結するために第１電極板１１と結合され、第２集電板３０は、第２電極板１２と電気的に連結するために第２電極板１２と結合される。
【００１９】
前記第１集電板２０はアルミニウムなどの導電性材質からなり、電極組立体１０の一側端部に突出した第１電極無地部１１ａと接触することによって、第１電極板１１と電気的に連結される。前記第１集電板２０は第１連結部２１、第１延長部２３、第１端子ホール２４、およびヒューズ部２５を含むように構成される。
【００２０】
前記第１連結部２１は電極組立体１０の上部とキャップ組立体５０の下部との間に設置され、プレート形態に形成される。ここで、前記第１連結部２１には、第１端子ホール２４及びヒューズ部２５が形成される。
【００２１】
前記第１延長部２３は第１連結部２１に対して折り曲げられ、第１連結部２１の端部から延在され、第１電極無地部１１ａと実質的に接触するプレート形態に形成される。ここで、前記第１連結部２１及び第１延長部２３により形成される角部を‘Ｃ'といい、前記第１連結部２１及び第１延長部２３は、前記角部Ｃを中心に垂直をなす。
【００２２】
前記第１端子ホール２４は第１連結部２１の一側に形成され、第１連結部２１において、キャップ組立体５０の第１電極端子５２が嵌合されて結合する空間を提供する。
【００２３】
前記ヒューズ部２５は電解液と接触しないように電極組立体１０の上部領域に形成される。これは、前記ヒューズ部２５で発生する熱によって電解液が発火する場合があるためである。ここで、前記ヒューズホール２５は、第１端子ホール２４に結合する第１電極端子５２と重複しないように、第１連結部２１における角部Ｃと隣接した領域に形成される。このようなヒューズ部２５は、２次電池１００において短絡が発生して大きい電流が流れる場合、発生した熱によって溶融することにより電流の流れを遮断するヒューズ機能をする。ここで、前記短絡は２次電池１００の過充電などにより熱が発生し、電解液が分解されて内部圧力が設定圧力より大きくなる場合、反転プレート６０と第２端子プレート５６を接触させることによって誘発される。よって、前記ヒューズ部２５は、過充電時に誘発された短絡によって溶融して電流の流れを予め遮断することができ、それにより、発火および爆発のような危険な状況に至る前に２次電池１００の充電または放電動作を停止できる。
【００２４】
前記第２集電板３０はニッケルまたは銅などの導電性材質からなり、電極組立体１０の他側端部に突出した第２電極無地部１２ａと接触することによって、第２電極板１２と電気的に連結される。前記第２集電板３０は第２連結部３１、第２延長部３３、及び第２端子ホール３４を含むように構成される。
【００２５】
前記第２集電板３０の構成は、図２に示された第１集電板２０の構成において、ヒューズ部２５に対応するヒューズ部を有さないことがある。これは本発明の実施例で、第１集電板２０がヒューズ機能をするヒューズ部２５を有しているためである。また、例えばアルミニウム材質からなる第１集電板２０は、ニッケルまたは銅材質からなる第２集電板３０より溶融点が低いので、ヒューズ機能をさらに容易に実現することができる。
【００２６】
前記ケース４０はアルミニウム、アルミニウム合金、またはニッケルめっきされたスチールのような導電性金属で形成され、電極組立体１０、第１集電板２０および第２集電板３０が挿入安着できる開口部が形成されたほぼ六面体形状からなる。図２には、ケース４０とキャップ組立体５０が結合した状態を示しているので、開口部が図示されていないが、キャップ組立体５０の周りの部分は実質的に開放された部分である。一方、ケース４０の内面は絶縁処理されており、電極組立体１０、第１集電板２０、第２集電板３０およびキャップ組立体５０と絶縁される。ここで、前記ケース４０は一つの極性、例えば正極として作用することができる。また、前記ケース４０内部にはジメチルカーボネート（ＤＭＣ）、ジエチルカーボネート（ＤＥＣ）、ジプロピルカーボネート（ＤＰＣ）、メチルプロピルカーボネート（ＭＰＣ）、エチルプロピルカーボネート（ＥＰＣ）、メチルエチルカーボネート（ＭＥＣ）、エチレンカーボネート（ＥＣ）、プロピレンカーボネート（ＰＣ）、ブチレンカーボネート（ＢＣ）等のカーボネート系溶媒を含む電解液を含むことができる。しかし、本発明は電解液の種類を特に限定するものではない。
【００２７】
前記キャップ組立体５０はケース４０に結合される。前記キャップ組立体５０は具体的にキャッププレート５１、第１電極端子５２、第２電極端子５３、ガスケット５４、第１端子プレート５５および第２端子プレート５６を含むように構成される。また、前記キャップ組立体５０はキャップ５７、ベントプレート５８、上部絶縁部材５９ａ、連結板５９ｂ、反転プレート６０、下部絶縁部材６３および保護層７０をさらに含むことができる。
【００２８】
前記キャッププレート５１はケース４０の開口を密封し、ケース４０と同じ材質からなることができる。ここで、前記キャッププレート５１はケース４０と同一の極性を有してもよい。
【００２９】
前記第１電極端子５２はキャッププレート５１の一側を貫通して第１集電板２０と電気的に連結される。前記第１電極端子５２は柱形状に形成することができる。キャッププレート５１の上部に露出した上部柱はリベッティングによって第１端子プレート５５に結合されており、前記上部柱には、第１電極端子５２がキャッププレート５１から抜けないように突起部５２ｂが形成される。また、キャッププレート５１の下部に位置する下部柱には、第１電極端子５２がキャッププレート５１から抜けないようにフランジ５２ａが形成される。さらに、第１電極端子５２のうち、フランジ５２ａの下部に位置する一部柱は第１集電板２０の第１端子ホール２４に嵌合される。ここで、前記第１電極端子５２はキャッププレート５１と電気的に連結される。
【００３０】
前記第２電極端子５３はキャッププレート５１の他側を貫通して第２集電板３０と電気的に連結される。前記第２電極端子５３は第１電極端子５２と同一の形状を有するので、重複した説明は省略する。ただし、前記第２電極端子５３はキャッププレート５１と絶縁される。
【００３１】
前記ガスケット５４は絶縁性材質から形成されており、第１電極端子５２および第２電極端子５３それぞれとキャッププレート５１との間に位置するように形成される。また、当該ガスケット５４は、第１電極端子５２および第２電極端子５３それぞれとキャッププレート５１との間を密封させる。このようなガスケット５４は、外部の水分が２次電池１００の内部に侵入できないようにしたり、２次電池１００の内部に収容された電解液が外部に流出できないようにしたりする。
【００３２】
前記第１端子プレート５５はリベッティングにより第１電極端子５２の上部柱と結合されており、それにより第１電極端子５２をキャッププレート５１に固定させる。
【００３３】
前記第２端子プレート５６はリベッティングにより第２電極端子５３の上部柱と結合されており、第２電極端子５３をキャッププレート５１に固定させる。前記第２端子プレート５６はキャッププレート５１から離隔した外側、つまり、上部絶縁部材５９ａ上で第２電極端子５３が嵌合されるように形成され、短絡ホール５１ｃを覆うように延長される。前記第２端子プレート５６は第２電極端子５３と電気的に連結される。また、前記第２端子プレート５６には、反転プレート６０のラウンド部６１に対応する位置に突出部５６ａが形成される。前記突出部５６ａは反転プレート６０に向かって突出するように形成される。また、前記突出部５６ａは、その直径が反転プレート６０のラウンド部６１より小さくなるように形成される。このような突出部５６ａは中空状の円筒形状であるが、本発明は突出部５６ａの形状を特に限定するものではない。このような第２端子プレート５６は外部の２次電池との連結状態で発生する高電圧断線や、２次電池１００内部の過充電などにより熱が発生し電解液が分解されて内部圧力が設定圧力より大きくなる場合、上向きに凸となるように突出する反転プレート６０と接触して短絡を誘発する。前記第２端子プレート５６によって短絡が誘発されると、大きい電流が流れることになり熱が発生し、このとき、ヒューズ部２５がヒューズ機能を遂行することによって、２次電池１００の安全性を向上させることができる。
【００３４】
前記キャップ５７はキャッププレート５１の電解液注入口５１ａを密封し、ベントプレート５８はキャッププレート５１のベントホール５１ｂに設置され設定された圧力で開放されるように形成された切欠５８ａを含む。
【００３５】
前記上部絶縁部材５９ａは第２電極端子５３とキャッププレート５１との間に嵌合されるように形成され、キャッププレート５１及びガスケット５４に密着する。このような上部絶縁部材５９ａは第２電極端子５３とキャッププレート５１を絶縁させる。
【００３６】
前記連結板５９ｂは第１電極端子５２とキャッププレート５１との間に嵌合されるように形成され、ナットを通じてキャッププレート５１及びガスケット５４に密着する。このような連結板５９ｂは第１電極端子５２とキャッププレート５１を電気的に連結する。
【００３７】
前記下部絶縁部材５９ｃは第１集電板２０および第２集電板３０それぞれとキャッププレート５１との間に形成され、不必要な短絡の発生を防止する。
【００３８】
前記反転プレート６０はキャッププレート５１の短絡ホール５１ｃで上部絶縁部材５９ａとキャッププレート５１との間に溶接などの方法によって設けられる。前記反転プレート６０は下に凸なラウンド部６１（電極組立体の方向であるケースの内部に向かう）と、キャッププレート５１に固定された枠部６２とを含む。前記反転プレート６０は外部の２次電池との連結状態で発生する高電圧断線や、２次電池１００内部の過充電などにより熱が発生し電解液が分解されて内部圧力が設定圧力より大きくなる場合、反転して上向きに凸となるように突出する。前記反転プレート６０は反転して第２端子プレート５６の突出部５６ａと接触することになり短絡を発生し、その短絡を通してヒューズ部２５を切ることによって、発火および爆発のような危険な状況に至る前に２次電池１００の充電または放電動作が停止される。つまり、前記反転プレート６０は２次電池１００内部の短絡を発生させ、その短絡を通してヒューズ部２５を溶融させて電流の流れを遮断することによって、２次電池１００を安定化させることができる。したがって、２次電池１００内部で短絡発生時に安定した充電または放電動作の防止のために、ヒューズ部２５が溶融する前まで反転プレート６０と第２端子プレート５６との間の接触状態を維持しなければならない。このとき、反転プレート６０及び第２端子プレート５６は線接触または点接触することになる。
【００３９】
一方、前記反転プレート６０はキャッププレート５１と同一の極性を有する。また、前記反転プレート６０はアルミニウム材質からなるが、本発明はこれに限定されるものではない。
【００４０】
前記反転プレート６０は、図５に示されているように２次電池１００を組み立てる自動化工程に適用される前に複数個を積層して保管することになる。しかし、前述のように互いに積層された反転プレート６０において、反転プレート６０間に摩擦が発生し、これによってその表面にスクラッチが発生する。したがって、前記反転プレート６０は、２次電池１００の過充電などにより熱が発生し電解液が分解されて内部圧力が設定圧力より大きくなって反転プレート６０と第２端子プレート５６が接触する場合、スクラッチによって上手く反転できなくなったり、スクラッチの隙間で２次電池１００の内部に発生したガスが外部へ抜け出して反転プレート６０がこれ以上反転できなくなったりして反転プレート６０と第２端子プレート５６との間の接触を維持できなくなる場合がある。本発明では、反転プレート６０の下部に保護層７０を形成して、積層された反転プレート６０間の摩擦を最小化することができ、これを通じて反転プレート６０に発生するスクラッチを未然に防止することができる。
【００４１】
また、前記反転プレート６０と第２端子プレート５６の突出部５６ａとの間の接触による接触抵抗がヒューズ部２５の抵抗より高い場合、反転プレート６０は誤動作を起こしてヒューズ部２５が完全に切れなくなることがあり、これによって反転プレート６０および第２端子プレート５６を損傷させる場合がある。このとき、前記反転プレート６０が損傷しても第２端子プレート５６の突出部５６ａとの接触を維持することができると、ヒューズ部２５を切ることは可能であるが、反転プレート６０の損傷部分に２次電池１００内部で発生したガスがケース４０の外部へ放出されるので、反転プレート６０はこれ以上反転動作を維持できなくなる。結局、前述のように反転プレート６０の誤動作が発生する場合、これによって２次電池１００の安定性を害することとなる。本発明では、反転プレート６０の一部が損傷しても自らの機能を発揮できるように、反転プレート６０の下部に保護層７０を形成して損傷部分をカバーすることによって、反転プレート６０の反転動作を維持することができる。
【００４２】
前記保護層７０は反転プレート６０の一面に形成される。つまり、前記保護層７０は、反転プレート６０のラウンド部６１の下面を全体的に囲むように形成される。このような保護層７０は、粘着またはコーティングなどの方法によってラウンド部６１の下面上に形成される。前記保護層７０は反転プレート６０より高い溶融点を有する物質からなる。本発明では、反転プレート６０より高い溶融点を有する物質で保護層７０を形成することによって、短絡発生によってヒューズ部２５が切れる前までは反転プレート６０の損傷部分をカバーすることができることになる。また、前記保護層７０はケース内部に含まれている電解液と接触の際に化学的反応が発生しない物質からなる。つまり、前記保護層７０は、反転プレート６０が、溶融点がほぼ６００度であるアルミニウムからなる場合、その溶融点がほぼ６００度以上で、電解液と反応しない物質からなる。好ましくは、前記保護層７０はポリイミド（Ｐｏｌｙ  Ｉｍｉｄｅ）からなる。前記ポリイミドポリイミドは耐熱性および電気絶縁性に優れた樹脂であって、その溶融点が７００度に達する物質である。また、前記ポリイミドはケース４０の内部に含まれている電解液と反応しない物質に該当する。したがって、本発明では、反転プレート６０に反転プレート６０より高い溶融点を有する保護層７０を形成することによって、短絡発生時に反転プレート６０が持続的に反転するように動作させることができる。
【００４３】
一方、本発明では、保護層７０をなす物質としてポリイミドを例に挙げて説明しているが、これに限定されるものではなく、反転プレート６０より高い溶融点を有する物質で、かつ、ケース４０内部に含まれている電解液と反応しない物質であれば、いずれも適用可能である。
【００４４】
次に、本発明の他の実施例による２次電池について説明する。
【００４５】
図６は本発明の他の実施例による２次電池で図２のＡ領域に対応するＡ１領域を示す拡大断面図であり、図７は本発明のまた他の実施例による２次電池の中、図２のＡ領域に対応する部分の拡大断面図であり、図８は本発明のまた他の実施例による２次電池の中、図２のＡ領域に対応する部分の拡大断面図である。
【００４６】
本発明の他の実施例による２次電池は図２に示された２次電池１００に比べて、反転プレート1６０の下面に形成された保護層1７０の形状が異なっているが、その以外の構成は、図２における２次電池１００と同一の構成を有し同一の役割を果たす。したがって、本発明の他の実施例による２次電池１００で同一の構成に対する重複した説明は省略し、反転プレート1６０の下面に形成された保護層1７０について重点的に説明する。
【００４７】
図６を参照すれば、前記保護層１７０は第２端子プレート１５６の突出部１５６ａの形状に対応するように形成される。さらに具体的には、前記保護層１７０は反転プレート１６０の下面のうち、第２端子プレート１５６の突出部１５６ａ形状に対応する形状、つまり、円環形状に形成される。前記保護層１７０は、実質的に第２端子プレート１５６の突出部１５６ａに接触する反転プレート１６０をカバーする役割を果たす。このとき、前記第２端子プレート１５６の突出部１５６ａの外径Ｄ２は、円環形状の保護層１７０の外径Ｄ１（つまり、断面上における左側保護層１７１と右側保護層１７２の外側辺距離）よりは小さく形成することが望ましい。また、前記第２端子プレート１５６の突出部１５６ａの内径は、当該突出部と接触する反転プレート１６０の領域をカバーするために、保護層１７０の内径よりは大きく形成することが望ましい。この実施例では、反転プレート１６０が接触する第２端子プレート１５６の突出部１５６ａの形状に対応する形状を有する保護層１７０を反転プレート１６０の下面に形成することによって、第２端子プレート１５６の突出部１５６ａに接触する反転プレート１６０の領域をカバーして反転プレート１６０の反転動作を維持することができる。
【００４８】
図７を参照すれば、前記保護層２７０は反転プレート２６０の下面のうち中央領域を除いた領域にのみ形成される。さらに具体的には、前記保護層２７０は反転プレート２６０の下面のうち第２端子プレート２５６の突出部２５６ａの内径Ｄ４より小さい内径Ｄ３を有する領域を除いた領域にのみ形成される。つまり、前記保護層２７０は反転プレート２６０の下面のうち第２端子プレート２５６の突出部２５６ａの内径より同じであるか大きい領域にのみ形成されるように、広い幅を有する円環形状に形成される。この実施例における保護層２７０は反転プレート２６０が円環形状を有するように形成されることができる。前記保護層２７０は実質的に第２端子プレート２５６の突出部２５６ａに接触しない中央領域を除いた領域をカバーする役割を果たす。前記反転プレート２６０の中央領域は、２次電池１００の過充電などにより熱が発生し電解液が分解されて内部圧力が設定圧力より大きくなる場合、内部に発生したガスによって押し上げられることによって、反転動作を容易に遂行することができ、また中央領域を除いた領域に保護層２７０を形成して第２端子プレート２５６の突出部２５６ａに接触する反転プレート２６０の領域（つまり、中央領域を除いた領域）をカバーして反転プレート２６０の反転動作を維持することができる。
【００４９】
図８を参照すれば、前記保護層３７０は第２端子プレート３５６の突出部３５６ａの形状に対応する反転プレート３６０の下面領域にその周辺領域の厚さより厚く形成される。さらに具体的には、前記保護層３７０は反転プレート３６０の下面のうち、第２端子プレート３５６の突出部３５６ａの形状に対応する領域に他の周辺領域よりさらに厚く形成される。前記保護層３７０は実質的に第２端子プレート３５６の突出部３５６ａに接触する反転プレート３６０をカバーする役割を果たす。この実施例では、第２端子プレート３５６の突出部３５６ａの形状に対応する反転プレート３６０の下面領域に、その周辺領域の厚さより厚い保護層３７０を形成することによって、第２端子プレート３５６の突出部３５６ａに接触する反転プレート３５６の領域をカバーして反転プレート３５６の反転動作を維持することができる。
【００５０】
以上の説明は、本発明による２次電池を実施するための一つの実施例に過ぎないものであって、本発明は前記実施例に限定されるものではなく、以下の特許請求の範囲において請求するように、本発明の要旨を逸脱することなく当該発明の属する分野で通常の知識を有する者であれば、誰でも多様な変更実施が可能な範囲にまで本発明の技術的精神がいるとみなされる。
【符号の説明】
【００５１】
１０  電極組立体
２０  第１集電板
２５  ヒューズホール
３０  第２集電板
４０  ケース
５０  キャップ組立体
５１  キャッププレート
５２  第１電極端子
５３  第２電極端子
５４  ガスケット
５５  第１端子プレート
５６、１５６、２５６、３５６  第２端子プレート
５７  キャップ
５８  ベントプレート
５９ａ  上部絶縁部材
５９ｂ  連結板
５９ｃ、１５９ｃ、２５９ｃ、３５９ｃ  下部絶縁部材
６０  反転プレート
６１  ラウンド部
６２  枠部
７０、１７０、２７０、３７０  保護層
１００  ２次電池
【図１】
2015204284.tif 000003
【図２】
2015204284.tif 000004
【図３ａ】
2015204284.tif 000005
【図３ｂ】
2015204284.tif 000006
【図４ａ】
2015204284.tif 000007
【図４ｂ】
2015204284.tif 000008
【図５】
2015204284.tif 000009
【図６】
2015204284.tif 000010
【図７】
2015204284.tif 000011
【図８】
2015204284.tif 000012